(57)【要約】【課題】  フロントケースとリアケースとの隙間を通じる凝縮水の漏れを防止できる空気調和機を提供する。【解決手段】  互いに結合されて外観をなすフロントケースおよびリアケースを具備し、前記フロントケースにはリアケース側に延設されてその終端がリアケースに支持された漏れ防止リブが設けられているので、前記漏れ防止リブにより凝縮水の漏れを低減させることができる。【選択図】図１
2006029766.tif 000002
【特許請求の範囲】
【請求項１】
互いに結合されて外観をなすフロントケースおよびリアケースと、前記フロントケースの下部内面から前記リアケース側に延長され、前記フロントケースと前記リアケースとの隙間を通じて漏れる凝縮水を低減させる漏れ防止リブとを含むことを特徴とする空気調和機。
【請求項２】
前記フロントケースには前記リアケース側に延長されて前記リアケースの内面に支持される支持部が設けられ、前記漏れ防止リブは前記支持部から延設されることを特徴とする請求項１に記載の空気調和機。
【請求項３】
前記フロントケースにおいて、上部には内部に空気が吸入される吸入口が設けられて下部には外部に空気が吐き出される吐出口が設けられ、前記リアケースには空気を前記吸入口から前記吐出口に導くガイドパネルが設けられ、前記漏れ防止リブの終端は前記ガイドパネルの下部に支持されることを特徴とする請求項２に記載の空気調和機。
【請求項４】
前記フロントパネルの下部後端側には前記ガイドパネルの下部に支持され、前記ガイドパネルとの間に空気層を形成して断熱効果を発揮する断熱部を含み、前記漏れ防止リブは前記断熱部の後方側に設けられ、前記断熱部の内側で凝縮された凝縮水の漏れを防止することを特徴とする請求項３に記載の空気調和機。
【請求項５】
前記漏れ防止リブは前記支持部から後方上側に向けて斜めで延設されていることを特徴とする請求項２に記載の空気調和機。
【請求項６】
前記漏れ防止リブは前記支持部の終端を覆うように所定長さで形成されることを特徴とする請求項２に記載の空気調和機。
【請求項７】
前記支持部は前記フロントケースの後端側の厚さに比べて相対的に薄く形成されることを特徴とする請求項２に記載の空気調和機。
【請求項８】
前記リアケースの下面を形成する下板の内面には前記支持部が設置される安着溝が凹んで形成されることを特徴とする請求項２に記載の空気調和機。
【発明の詳細な説明】
【技術分野】
【０００１】
本発明は、空気調和機に関し、特にフロントケースとリアケースとの隙間を通じる凝縮水の漏れを防止できる空気調和機に関する。
【背景技術】
【０００２】
一般に、空気調和機は冷凍サイクルを用いて室内空気を調和する装置であって、室外に設置される室外機と室内に設置される室内機とを含む。
【０００３】
このような従来の空気調和機の室内機は、内部に冷凍サイクルをなす圧縮機、凝縮機および送風ファンを具備し、冷房運転時に室外空気を送風ファンにより吸入して凝縮機を凝縮させる仕組みとなっており、室内機は内部に冷凍サイクルの蒸発機と送風ファンが設置され、送風ファンの送風力により室内空気が蒸発機を通りながら熱交換して冷却され、引き続き室内に再び吐き出されて冷房作用を行うことになる（例えば、特許文献１参照）。
【０００４】
この際、空気調和機の室内機は前後方向に互いに結合されて外観をなすフロントケースとリアケースとを含み、前記フロントケースとリアケースの内に蒸発機および送風ファンが内蔵されている。
【０００５】
ところが、前記空気調和機の室内機において、空気調和機の動作に応じてフロントケースとリアケースにより形成される空間内の空気が冷却されると、これにより空気内に含まれている水分が凝縮されて凝縮水が発生し、前記凝縮水がフロントケースとリアケースとの隙間に漏れて室内空間に落下する恐れがある。
【特許文献１】特開平１１−０５１４１４号公報
【発明の開示】
【発明が解決しようとする課題】
【０００６】
従って、本発明は、前述した従来の問題点を解決するために案出されたものであり、フロントケースとリアケースとの隙間を通じる凝縮水の漏れを低減できる空気調和機を提供することにその目的がある。
【課題を解決するための手段】
【０００７】
前記目的を達成するために、本発明に係る空気調和機は、互いに結合されて外観をなすフロントケースおよびリアケースと、前記フロントケースの下部内面から前記リアケース側に延長され、前記フロントケースと前記リアケースとの隙間を通じる凝縮水の漏れを低減させる漏れ防止リブとを含むことを特徴とする。
【０００８】
また、前記フロントケースには前記リアケース側に延長されて前記リアケースの内面に支持される支持部が設けられ、前記漏れ防止リブは前記支持部から延設されることを特徴とする。
【０００９】
また、前記フロントケースにおいて、上部には内部に空気が吸入される吸入口が設けられて下部には外部に空気が吐き出される吐出口が設けられ、前記リアケースには空気を前記吸入口から前記吐出口に導くガイドパネルが設けられ、前記漏れ防止リブの終端は前記ガイドパネルの下部に支持されることを特徴とする。
【００１０】
また、前記フロントパネルの下部後端側には前記ガイドパネルの下部に支持され、前記ガイドパネルとの間に空気層を形成して断熱効果を発揮する断熱部を含み、前記漏れ防止リブは前記断熱部の後方側に設けられ、前記断熱部の内側で凝縮された凝縮水の漏れを防止することを特徴とする。
【００１１】
また、前記漏れ防止リブは前記支持部から後方上側に向けて斜めで延設されていることを特徴とする。
【００１２】
また、前記漏れ防止リブは前記支持部の終端を覆うように所定長さで形成されることを特徴とする。
【００１３】
また、前記支持部は前記フロントケースの後端側の厚さに比べて相対的に薄く形成されることを特徴とする。
【００１４】
また、前記リアケースの下面を形成する下板の内面には前記支持部が設置される安着溝が凹んで形成されることを特徴とする。
【発明の効果】
【００１５】
本発明に係る空気調和機は、下部に漏れ防止リブが設けられているため、フロントケースとリアケースとの隙間に発生する凝縮水の漏れを低減することができる。
【００１６】
また、本発明による空気調和機は、漏れ防止リブがリアケースの内側に挿入されてリアケースの内面に支持される支持部に形成されているため、漏れ防止リブの厚さにより収縮が発生しても、このような収縮がリアケースの内側に挿入されて外部からはよく見えない支持部に発生するので、漏れ防止リブにより外観が損なわれることを防止できる。
【００１７】
さらに、漏れ防止リブがフロントケースに比べてその厚さが相対的に薄い支持部に形成されるので、漏れ防止リブの厚さによる支持部の変形を低減させることができる。
【発明を実施するための最良の形態】
【００１８】
以下、本発明に係る好ましい実施形態を添付図面を参照しつつ詳細に説明する。
【００１９】
本発明による空気調和機の室内機は、図１に示したように、外観をなしその内部に冷凍サイクルの構成要素が設置される本体１０を含み、前記本体１０は前後方向に互いに結合されるフロントケース１０Ｆおよびリアケース１０Ｒを含み、フロントケース１０Ｆとリアケース１０Ｒとの間には内部に吸入された室内空気と熱交換して室内空気を冷却させる蒸発機２０と、回転力を発生させる駆動モーター(図示せず)から動力を伝えられて回転し、吸入力および送風力を発生させて室内空気を本体１０の内部に循環させる送風ファン３０とが配置される。本実施形態において、送風ファン３０としては空気を円周方向に流動させる横流ファンが採用され、本体１０の内に左右方向に長く設置されている。
【００２０】
フロントケース１０Ｆは後方側に開放され、内部に室内空気が吸入できるようにその前面から上面に至るまで吸入口１１ａの形成された格子状のグリル部材が設けられ、フロントケース１０Ｆの下部には吸入口１１ａを通じて流入された空気が本体１０の内部を循環しながら冷却された後、室内空間に再び吐き出されるようにする吐出口１２が設けられている。この際、吐出口１２には吐出口１２を通じて吐き出される空気の方向を上下に調節できる上下風向調節羽根１２ａと左右に調節できる左右風向調節羽根１２ｂとが設けられている。
【００２１】
リアケース１０Ｒは前方側に開放され、フロントケース１０Ｆの後方側を覆うようになっており、送風ファン３０の後方を覆って吸入口１１ａを通じて流入された空気を下部に設けられた吐出口１２に導くように、ガイドパネル１３が上下に長く配置されて、送風ファン３０により流動する空気を上部から下部に導くようになっている。
【００２２】
蒸発機２０は、フロントケース１０Ｆの前面および上面に設けられた吸入口１１ａの内側を覆うようにフロントケース１０Ｆ内に配置され、蒸発機２０の下部には蒸発機２０の下端を支持すると同時に蒸発機２０から落下した凝縮水を集水して外部に排出させる凝縮水留め１４が設けられる。本実施形態において、凝縮水留め１４は横流ファンからなる送風ファン３０の空気吸入側と空気吐出側を区画するスタビライザーの役割を果たすために、吸入口１１ａと吐出口１２との間を区画して配置される。４０は吸入口１１ａを通じて流入された空気から塵などの異物を分離する集塵装置である。
【００２３】
本発明による空気調和機においては、図２に示したように、フロントケース１０Ｆとリアケース１０Ｒが安定的に結合できるようにするため、フロントケース１０Ｆにはその後端側の縁部からリアケース１０Ｒ側に延長され、リアケース１０Ｒの内側に挿入されてリアケース１０Ｒの内面に支持される支持部１０１が形成されており、リアケース１０Ｒには前方側の縁部の内面に支持部１０１が設置される安着溝１０３が凹んで形成されている。
【００２４】
この際、このような空気調和機の室内機において、本体１０の下面には吐出口１２を通じて吐き出される空気の冷気により凝縮水が発生し得る。よって、このような凝縮水の発生を低減させるために、フロントケース１０Ｆの下部後端側にはリアケース１０Ｒに設けられたガイドパネル１３の下部に終端が支持され、ガイドパネル１３との間に空気層を形成させることにより断熱能力を発揮する断熱部１５が設けられている。すなわち、断熱部１５およびガイドパネル１３により形成された空気層によりリアケース１０Ｒの下部へ冷気が伝えられにくくなり、よって凝縮水の発生も低減される。
【００２５】
かつ、フロントケース１０Ｆの下側後端には本体１０の内部に吸入された室内空気が冷却される過程で発生する凝縮水が支持部１０１と安着溝１０３との隙間に漏れることを防止できるように漏れ防止リブ１０２が形成されている。
【００２６】
本実施形態において、漏れ防止リブ１０２は断熱部１５の後方側に設けられ、断熱部１５およびガイドパネル１３により形成された空気層内部の空気が冷却しながら発生した凝縮水が外部に漏れることを防止することができる。
【００２７】
また、本発明による空気調和機において、漏れ防止リブ１０２は支持部１０１から延設されるが、これは射出成型の特性上、厚さが厚いほど収縮が発生しやいため、フロントケース１０Ｆに支持部を形成する場合、フロントケース１０Ｆの厚さに漏れ防止リブ１０２の厚さが加えられて射出成型する過程で外部に露出されるフロントケース１０Ｆに変形が発生する恐れがあるので、漏れ防止リブ１０２が支持部１０１に形成されることが望ましいからである。
【００２８】
なお、漏れ防止リブ１０２はフロントケース１０Ｆから後方上側に向けて斜めで延設されてその終端がリアケース１０Ｒのガイドパネル１３の下部に支持されているため、凝縮水がガイドパネル１３に沿って流れても漏れ防止リブ１０２によりフロントケース１０Ｆの内側に案内されるので、本体１０の外部に凝縮水が漏れることを防止することができ、互いに支持している安着溝１０３と支持部１０１との隙間に凝縮水が漏れることを防止できるように、支持部１０１の終端と安着溝１０３の内側端を覆い得る所定の長さで長く形成される。
【００２９】
本実施形態において、支持部１０１はフロントケース１０Ｆに比べて相対的に薄く形成されるが、これは漏れ防止リブ１０２が支持部１０１から一体で延設される場合にもその厚さをフロントケース１０Ｆの厚さと同様な水準で保持できるようにして、射出成型時に発生する収縮に応じる支持部１０１の変形を低減させるためである。
【００３０】
以上、詳細に説明したように、本発明による空気調和機は、下部に漏れ防止リブが設けられているため、フロントケースとリアケースとの間に発生する凝縮水の漏れを低減できる効果がある。
【００３１】
なお、本発明による空気調和機は、漏れ防止リブがリアケースの内側に挿入されてリアケースの内面に支持される支持部に形成されているため、漏れ防止リブの厚さにより収縮が発生してもこのような収縮がリアケースの内側に挿入されて外部からはよく見えない支持部に発生するので、漏れ防止リブにより外観が損なわれることを防止できる効果がある。
【００３２】
さらに、漏れ防止リブがフロントケースに比べてその厚さが相対的に薄い支持部に形成されるので、漏れ防止リブの厚さによる支持部の変形を低減させることができる効果がある。
【００３３】
以上、本発明について具体的な実施例を挙げて説明してきたが、本発明の思想から逸脱しない範囲内で様々な変形が可能であることは当業者にとって自明であり、従って、本発明の範囲は特許請求の範囲及びその請求の範囲と均等なものによって定められるべきである。
【図面の簡単な説明】
【００３４】
【図１】本発明による空気調和機の構成を示した断面図である。
【図２】図１に示されたＩＩ部の拡大図である。
【符号の説明】
【００３５】
１０    本体
１０Ｆ  フロントケース
１０Ｒ  リアケース
２０    蒸発機
３０    送風ファン
１０１  支持部
１０２  漏れ防止リブ
１０３  安着溝
【図１】
2006029766.tif 000003
【図２】
2006029766.tif 000004